(57)【要約】      （修正有）【課題】炭酸系の飲料などの賞味できる時間を延ばすことが出来、また、公式のテニスボールなどもボールの使用期間を延長出来る加圧保存容器を提供する。【解決手段】密閉容器に品物を入れ、密閉後バネ、ネジ、ベルトなどで内部を加圧する。もしくはポンプ等を用い内部を加圧する。【選択図】図２
0003116950.tif 000002
【実用新案登録請求の範囲】
【請求項１】
密閉した容器の内部を加圧して物品を保存する。
【考案の詳細な説明】
【考案の詳細な説明】
【考案が解決しようとする課題】
【０００１】従来は一度あけた缶入り炭酸飲料や缶ビールなどをそのまま冷蔵庫で保存していた。しかし、それらは数時間で炭酸ガスが少なくなり気が抜けて飲めなくなってしまっていたまた、従来販売されている加圧ケースより出し使用したプレッシャーされた硬式テニスボールなどは使用しなくとも数週間で空気圧が下がり使用できなくなっていた。真新しいボールも空気圧が低いことで多量に捨てられていた。しかし、この加圧保存容器に入れ加圧する事により、ボールの空気抜けが抑制され、ボールの使用可能な期限時間が延長され、また、ボールの内部の空気圧が上昇し再生使用できる可能性もある。
【課題を解決するための手段】
上記目的を達成するためにこの加圧保存容器に品物を入れ容器を密閉する。密閉した容器に、バネ、ネジ、ベルトなどを用いての容器外部からの容器への働きかけにより、容器内部の圧力を高める。あるいは、密閉した容器に空気ポンプなどにより容器の内部を加圧する。加圧保存容器は、樹脂または金属などを使用し、蓋はネジ、バネ、ベルトあるいはその他のものを利用することにより密閉固定する。また、必要に応じてパッキンなどを使用し、気密性を高める。空気ポンプは容器と一体式や分離式の物があり、分離式の物にはポンプより空気を送り込む際の空気弁を取り付ける。また、容器には安全弁や空気を抜く装置、気圧計なども取り付ける事もある。
【考案の効果】
ビールなどの飲みかけの炭酸系飲料などを入れた加圧保存容器をそのまま冷蔵庫にいれておけば、ある程度の時間ならば、それを取り出し美味しく飲める。従来販売されている加圧ケースより出し使用したプレッシャーされた硬式テニスボールなども、この加圧保存容器に入れることにより、ボールの空気抜けが抑制され、、ボールの使用可能時間が延長される。逆に内部の空気圧が上昇し再生したボールも多くあった。
【図面の簡単な説明】
【図１】容器と加圧ポンプの一体式の物と容器を加圧して内部の圧力を高める製品の一例の斜視図である。これ以外に色々な形態が考えられるのである。
【図２】容器と加圧ポンプとの分離式のものの斜視図である。これも、これ以外に色々な形態が考えられるのである。
【図３】加圧保存容器の色々な製品例
【符号の説明】
１  密閉容器
２  加圧するポンプ
３  加圧のための空気弁
４  安全弁と減圧装置
５  気圧計
６  ベルト（荷締めベルトなど）
７  密閉用板バネ
【図１】
0003116950.tif 000003
【図２】
0003116950.tif 000004
【図３】
0003116950.tif 000005
【手続補正書】
【提出日】平成15年11月13日(2003.11.13)
【手続補正１】
【補正対象書類名】実用新案登録請求の範囲
【補正対象項目名】全文
【補正方法】変更
【補正の内容】
【実用新案登録請求の範囲】
【請求項１】
密閉し、内部を加圧して物品を保存する容器
【手続補正書】
【提出日】平成16年2月26日(2004.2.26)
【手続補正１】
【補正対象書類名】実用新案登録請求の範囲
【補正対象項目名】全文
【補正方法】変更
【補正の内容】
【実用新案登録請求の範囲】
【請求項１】
従来の蓋付きのペール缶、ドラム缶、ポリ容器などをパッキンや補強材などを用い密閉する。  密閉するためには、従来のＣ型クランプやバネ、ネジなどの力を利用する。  品物を密閉容器に入れ、先ほどの用具を用い機密性を高め密閉する。  あらかじめ取り付けられた空気弁を介して自転車のタイヤ用空気ポンプなどを用い内部の圧力を高める。
加圧した状態で内部の物品を保存する容器。
【考案の詳細な説明】
【０００１】
【考案が解決しようとする課題】
従来は一度あけた炭酸飲料やビールなどをそのまま冷蔵庫で保存していた。しかし、それらは数時間で炭酸ガスが少なくなり気が抜けて飲めなくなってしまっていた。また、硬式のテニスボールなども数週間で空気が抜けて使えなくなってしまっていた。しかし、この容器で加圧保存することにより、炭酸系の飲料などの賞味できる時間を延ばすことが出来る。また、硬式のテニスボールなどもボールの使用可能期間を延長する事が出来る。
【０００２】
【課題を解決するための手段】
上記目的を達成するためにこの密閉容器に品物を入れ、バネ、ネジ、ベルトなどにより蓋を固定し機密を保つ。容器外部からの容器への空気ポンプあるいはバネなどに夜圧縮を用い容器内部の圧力をたかめる。圧力容器は、樹脂または金属などを使用し、蓋はネジ、バネ、ベルトあるいはその他のものを利用することにより密閉する。また、必要に応じてパッキンなどを使用し、気密性を高める。
また、安全を確保するために気圧計や安全弁を使用することもある。
【０００３】
【考案の効果】
ビールなどの飲みかけの炭酸系飲料などを入れた加圧保存容器をそのまま冷蔵庫にいれておけば、ある程度の時間ならば、それを取り出し美味しく飲める。
また、従来販売されている加圧ケースより出し使用した硬式のテニスボールなども、従来は２−３週間で内部の空気が抜け、使用出来なくなっていたが、この加圧保存容器に入れることにより、ボールの空気抜けが緩和され、、ボールの使用可能期限が延長される。また、一部のボールには、空気圧の改善も見られた。
【図面の簡単な説明】
【図１】
容器と加圧ポンプの一体式の物と容器を加圧して内部の圧力を高める製品の一例の斜視図である。これ以外に色々な形態が考えられるのである。
【図２】
容器と加圧ポンプとの分離式のものの斜視図である。これも、これ以外に色々な形態が考えられるのである。
【図３】加圧保存容器の色々な製品例
【符号の説明】
１密閉容器
２加圧するポンプ
３加圧のための空気弁
４安全弁
５気圧計
６ベルト（荷締めベルトなど）
７密閉用板バネ
【手続補正書】
【提出日】平成16年6月15日(2004.6.15)
【手続補正１】
【補正対象書類名】実用新案登録請求の範囲
【補正対象項目名】全文
【補正方法】変更
【補正の内容】
【実用新案登録請求の範囲】
【請求項１】
加圧保存容器で物品を加圧保存するためにおいて、
（１）蓋付きの、ペール缶、ドラム缶、樹脂製容器、スチール製容器を用いる。
（２）容器とその容器の蓋との間にパッキンを用い機密性を高める。
（３）蓋の固定にはＣ型クランプ、バックル、バネ、ネジ、ベルトを用いる。
（４）この容器あるいは蓋に自転車タイヤ用又は自動車タイヤ用空気栓をを取り付ける。
（５）保存したい物品ををこの密閉容器に入れ、この容器に蓋をし、（３）の器具を用いこの容器を密閉しする。
（６）外部より空気ポンプ、自転車のタイヤ用空気ポンプもしくは、自動車タイヤ用空気ポンプを用い内部を加圧する。
（７）この容器を加圧した状態で内部の物品を保存する。
（８）この容器には、安全弁、圧力計取り付ける。
以上からなる加圧保存容器。
0003116950.tif 000006
0003116950.tif 000007
【手続補正書】
【提出日】平成16年10月7日(2004.10.7)
【手続補正１】
【補正対象書類名】実用新案登録請求の範囲
【補正対象項目名】全文
【補正方法】変更
【補正の内容】
【実用新案登録請求の範囲】
【請求項１】
物品を加圧保存するためにおいて、
（１）蓋付きの、ペール缶、ドラム缶、樹脂製容器、スチール製容器を用いる。
（２）（１）の容器又は（１）の容器の蓋にゴム製あるいは樹脂製のパッキンを取り付ける。
（３）（１）の容器あるいは（１）の蓋に自転車タイヤ用又は自動車タイヤ用空気栓気圧計、安全弁などを取り付ける。
（４）Ｃ型クランプ、バックル、バネ、ネジ、ベルト等を用い（１）の蓋と（１）の容器本体を密着させ、内部の気密を保つ。
（５）外部より空気ポンプ、自転車のタイヤ用空気ポンプもしくは、自動車タイヤ用空気ポンプを用い（１）の容器の内部を加圧する。
以上からなる加圧保存容器。
〔考案の詳細な説明〕
〔０００１〕
〔考案が解決しようとする課題〕
一度あけた炭酸飲料やビールをそのまま冷蔵庫で保存すれば、数時間で炭酸ガスが少なくなり、飲めなくなる。また、硬式のテニスボールは数週間で空気が抜けて使えなくなる。しかし、この容器で加圧保存することにより、炭酸系の飲料の賞味できる時間を延ばすことが出来る。また、硬式のテニスボールもボールの使用可能期間を延長する事が出来る。
〔０００２〕
〔課題を解決するための手段〕
上記目的を達成するためにこの密閉容器に品物を入れ、クランプ、バックル、バネ、ネジ、ベルトを用い蓋を固定し機密を保つ。容器外部からの容器への空気ポンプあるいはバネなどに夜圧縮を用い容器内部の圧力をたかめる。圧力容器は、樹脂または金属などを使用し、蓋はネジ、バネ、ベルトを利用することにより密閉する。また、パッキンなどを使用し、気密性を高める。
加圧による爆発などの危険を予防するために圧力計や安全弁を使用する。
〔０００３〕
〔考案の効果〕
ビールなどの飲みかけの炭酸系飲料を入れた加圧保存容器をそのまま冷蔵庫にいれておけば、ある程度の時間ならば、それを取り出し美味しく飲める。
また、現在販売されている状態の加圧ケースより出し使用した硬式，のテニスボールも、従来は２−３週間で内部の空気が抜け、使用出来なくなっていた。しかし、この加圧保存容器に入れることにより、ボールの空気抜けが緩和され、、ボールの使用可能期限が延長される。また、一部のボールには、空気圧の改善も見られる。
〔図面の簡単な説明〕
〔図１〕
容器と加圧ポンプの一体式の物と容器を加圧して内部の圧力を高める製品の一例の斜視図である。これ以外に色々な形態が考えられるのである。
〔図２〕
容器と加圧ポンプとの分離式のものの斜視図である。これも、これ以外に色々な形態が考えられるのである。
〔図３〕加圧保存容器の色々な製品例
〔符号の説明〕
１密閉容器
２加圧するポンプ
３加圧のための空気弁
４安全弁
５気圧計
６ベルト（荷締めベルトなど）
７密閉用板バネ
〔その他〕
本件手続きを行ったことに相違ありません。
【手続補正書】
【提出日】平成17年3月25日(2005.3.25)
【手続補正１】
【補正対象書類名】明細書
【補正対象項目名】補正の内容のとおり
【補正方法】変更
【補正の内容】
0003116950.tif 000008
0003116950.tif 000009
0003116950.tif 000010
【手続補正書】
【提出日】平成17年7月27日(2005.7.27)
【手続補正１】
【補正対象書類名】実用新案登録請求の範囲
【補正対象項目名】全文
【補正方法】変更
【補正の内容】
【実用新案登録請求の範囲】
【請求項１】
物品を加圧保存するための加圧保存容器において、
（１）樹脂製または金属製の蓋つきの容器。
（２）前記容器と蓋の機密性を高めるためのパッキン。
（３）前記容器あるいは前記蓋に取り付けた空気弁、気圧計および安全弁。
（４）前記蓋と前記容器本体を密着させ、内部の気密を保つためのバネ、ねじ、ベルトからなる密閉部材。以上からなる加圧保存容器
【手続補正２】
【補正対象書類名】明細書
【補正対象項目名】全文
【補正方法】変更
【補正の内容】
【考案の詳細な説明】
【考案の詳細な説明】
【０００１】
【考案が解決しようとする課題】
蓋をあけた炭酸飲料やビールなどをそのまま冷蔵庫で保存していた。しかし、それらの飲料は、数時間で飲料内部の炭酸ガスが抜けだし、飲みずらくなってしまっていた。また、硬式テニスで使用するボールも数週間でボールの内部の空気が抜けだし、ボール内部の空気圧力が下がり、ボールの反発力が弱まり、実際には使いずらくなってしまっていた。しかし、この加圧保存容器で加圧保存することにより、炭酸系の飲料などの炭酸ガスの外部への放出が押さえられ、おいしく賞味できる時間を延ばすことが出来る。また、硬式テニスボールなどもボールの使用可能なる期間を延長する事が出来るとともにボール内部の低くなった空気圧をも高く改善する効果も期待できる。
【０００２】
【課題を解決するための手段】
上記目的を達成するためにこの加圧保存容器に蓋の開いた炭酸飲料や硬式テニスボールなどを入れ、蓋をし、蓋と本体とをクランプ、バックル、バネ、ネジ、ベルト、パッキン、などの力により、加圧保存容器内部の気密を確保し、加圧保存容器外部からの加圧保存容器への働きかけにより、本加圧保存容器内部の圧力を高める。加圧保存容器外部からの働きかけとは、空気ポンプなどにより加圧保存容器内部に空気を注入し、加圧保存容器の内部を加圧する。加圧保存容器の本体と蓋は、樹脂または金属を使用し作成する。加圧保存容器の蓋はクランプ、バックル、ネジ、バネ、ベルトを使用することにより本体に密着させる。また、パッキンを装着し、加圧保存容器気内部の気密性を高める。加圧による破裂を防ぐために空気弁、気圧計および安全弁を装着する。
【０００３】
【考案の効果】
ビールなどのすでに蓋を開けられた炭酸系飲料などを加圧保存容器に入れておけば、炭酸飲料の炭酸ガスが外部に抜け出さずにおいしいまま保存できる。
また、販売されているケースより出し使用した硬式テニスボールも、この加圧保存容器に入れ、保存することにより、硬式テニスボールの内部の空気が抜けるのが緩和され、硬式テニスボールの使用可能期間が延長される。また、一部の硬式テニスボールには硬式テニスボールの内部の空気圧の上昇も見られた。
【図面の簡単な説明】
【図１】容器と加圧ポンプの一体式の物と容器を加圧して内部の圧力を高める製品の一例の斜視図である。
【図２】容器と加圧ポンプとの分離式のものの斜視図である。
【図３】加圧保存容器の色々な製品例
【符号の説明】
１        密閉容器
２        加圧するポンプ
３        加圧のための空気弁
４        安全弁
５        気圧計
６        ベルト（荷締めベルトなど）
７        密閉用板バネ